(57)【要約】【課題】調湿効果シミュレーションにおいて、調湿効果の確認を具体化できるようにする。【解決手段】建築物が位置する地域の屋外環境データ、建築物内の空間における居住者の生活スケジュールに対応した屋内生活環境データ、空間の換気経路を含む建築物の基本性能データ、並びに空間に対する調湿建材の施工データに基づいて、空間の設定時間毎の相対湿度を１年間について算出し、調湿建材の施工面積及び性能を基に分けられた複数の施工パターン（調湿建材を施工しないブランクも含む）毎に、空間の設定時間毎の相対湿度を低湿度域、快適湿度域又は高湿度域のいずれかに区分し、この空間の設定時間毎の湿度域を色付けして表示装置３に表示する。また、空間が設定期間で低湿度域、快適湿度域及び高湿度域に存在している期間を算出して、その存在割合を求め、調湿建材の施工パターンを変更したときの湿度域の割合を表示装置３に表示する。【選択図】図１
2009086828.tif 000002
【特許請求の範囲】
【請求項１】
建築物が位置する地域の屋外環境データと、建築物内の少なくとも１つの空間における居住者の生活スケジュールに対応した屋内生活環境データと、上記空間の換気経路を含む建築物の基本性能データと、上記空間に対する調湿建材の施工データとに基づいて、上記空間の設定時間毎の相対湿度を１年間について算出する相対湿度算出手段と、
調湿建材の施工パターンを、その施工面積及び性能に基づいて調湿建材を施工しないブランク状態も含む複数のパターンに分けて、その各施工パターン毎に、上記空間の設定時間毎の相対湿度を低湿度域、快適湿度域又は高湿度域のいずれかに区分する湿度区分手段と、
上記空間の設定時間毎の湿度域を表示手段に表示する表示制御手段とを備えたことを特徴とする調湿効果シミュレーション装置。
【請求項２】
請求項１の調湿効果シミュレーション装置において、
表示制御手段は、空間に対し時刻が指定されたときに、該指定の時刻に該空間が属している湿度域を表示手段に表示することを特徴とする調湿効果シミュレーション装置。
【請求項３】
請求項１の調湿効果シミュレーション装置において、
表示制御手段は、空間に対し期間が指定されたときに、該指定の期間に該空間が属している設定時間毎の湿度域を連続して経時的に表示手段に表示することを特徴とする調湿効果シミュレーション装置。
【請求項４】
請求項１〜３のいずれか１つの調湿効果シミュレーション装置において、
表示制御手段は、空間の低湿度域、快適湿度域及び高湿度域を互いに異なる色で表示手段に表示することを特徴とする調湿効果シミュレーション装置。
【請求項５】
請求項１〜４のいずれか１つの調湿効果シミュレーション装置において、
空間の相対湿度が設定期間において低湿度域、快適湿度域及び高湿度域に存在している期間を算出して、その各湿度域に存在する割合を求める湿度域割合算出手段を備え、
表示制御手段は、調湿建材の施工パターンを変更したときの上記空間の各湿度域の割合をそれぞれ表示手段に表示することを特徴とする調湿効果シミュレーション装置。
【請求項６】
請求項５の調湿効果シミュレーション装置において、
表示制御手段は、調湿建材の施工パターンを変更したときの空間の設定期間における各湿度域の割合をそれぞれグラフで対比して表示手段に表示することを特徴とする調湿効果シミュレーション装置。
【請求項７】
請求項５の調湿効果シミュレーション装置において、
表示制御手段は、調湿建材のパターンを変更したときの空間が設定期間において快適湿度域となる割合の差を数値で表示手段に表示することを特徴とする調湿効果シミュレーション装置。
【請求項８】
請求項１〜７のいずれか１つの調湿効果シミュレーション装置を備えたことを特徴とする調湿設計支援装置。
【発明の詳細な説明】
【技術分野】
【０００１】
本発明は、建築物の空間に施工される調湿建材による調湿効果を確認又は判断するための調湿効果シミュレーション装置、及びそのシミュレーション装置を用いた調湿設計支援装置に関するものである。
【背景技術】
【０００２】
近年、住宅の気密化や洋風化に伴い、湿気を吸放湿する内装材の使用が減って、湿気滞留による結露や黴の被害、２４時間の換気システムによる冬場の過乾燥に伴うインフルエンザの流行や肌荒れ等、居住空間の悪化が問題視されている。
【０００３】
このような問題に対し、吸放湿性を有する調湿天井材や壁材、珪藻土や漆喰等の塗材、調湿壁紙等の調湿建材を用いる方法があるが、その場合、単に、調湿建材を使用して結露が少なくなる等の定性的な使用方法や、室内面積の○○％について調湿建材を張れば、その効果が得られる等の使用方法の解説があるに過ぎず、室内の間取りや設計段階での調湿建材の使用量を決めるのは困難であった。
【０００４】
一方、建築学会等では、材料や室内環境等を細かくシミュレーションする学術的な発表がなされている。例えば空間温湿度計算ソフト（動的熱負荷計算ソフト）「THERB for HAM」が挙げられる。また、従来、特許文献１に示されるように、パソコンに建材、生活、宅地条件等のデータを入力して調湿効果を予測する方法も提案されている。
【特許文献１】特開２００２−６３２１７号公報
【発明の開示】
【発明が解決しようとする課題】
【０００５】
しかし、上記特許文献１のものでは、調湿建材の吸放湿性能を数値計算できる手法を用いて、空間の相対湿度を求め、その結果をグラフや数値で表して調湿建材の最小施工面積が得られるようにシミュレーションしているが、その求められた相対湿度を単にグラフ化し或いは数値化しているだけであるので、相対湿度がどの程度違えば調湿効果があるかという判断基準は示されていない。しかも、調湿建材の施工前後でそれぞれ異なる相対湿度を求めることができるものの、その２つの相対湿度をどのように判断するかの基準も曖昧であり、調湿効果の確認や判断が不明確であるという問題があった。
【０００６】
本発明は斯かる点に鑑みてなされたもので、その目的は、調湿効果のシミュレーションの行い方に改良を加えることで、調湿効果の確認を具体化できるようにすることにある。
【課題を解決するための手段】
【０００７】
上記の目的を達成するために、請求項１の発明では、調湿効果シミュレーション装置は、建築物が位置する地域の屋外環境データと、建築物内の少なくとも１つの空間における居住者の生活スケジュールに対応した屋内生活環境データと、上記空間の換気経路を含む建築物の基本性能データと、上記空間に対する調湿建材の施工データとに基づいて、上記空間の設定時間毎の相対湿度を１年間について算出する相対湿度算出手段を備えている。加えて、調湿建材の施工パターンを、その施工面積及び性能に基づいて調湿建材を施工しないブランク状態も含む複数のパターンに分けて、その各施工パターン毎に、上記空間の設定時間毎の相対湿度を低湿度域、快適湿度域又は高湿度域のいずれかに区分する湿度区分手段と、この空間の設定時間毎の湿度域を表示手段に表示する表示制御手段とを備えたことを特徴とする。
【０００８】
この発明では、相対湿度算出手段において、空間についての屋外環境データと、屋内生活環境データと、建築物の基本性能データと、調湿建材の施工データとに基づいて、その空間の設定時間毎の相対湿度が１年間に亘り算出される。そして、湿度区分手段において、調湿建材の施工面積及び性能に基づき分けられた複数の施工パターンの各々毎に、上記空間の設定時間毎の相対湿度が低湿度域、快適湿度域又は高湿度域のいずれかに区分され、表示制御手段により、それら空間の設定時間毎の湿度域が表示手段に表示される。このように、調湿建材の施工パターン毎に、空間の１年間に亘る設定時間毎の相対湿度が低湿度域、快適湿度域又は高湿度域に区分されて、それらが表示されるので、調湿建材の施工による調湿効果を容易にかつ明確に確認することができる。
【０００９】
請求項２の発明では、上記表示制御手段は、空間に対し時刻が指定されたときに、該指定の時刻に該空間が属している湿度域を表示手段に表示するものとする。
【００１０】
この発明では、ある空間の指定された時刻における湿度域が表示されるので、その時刻の調湿効果を容易にかつ明確に確認することができる。
【００１１】
請求項３の発明では、表示制御手段は、空間に対し期間が指定されたときに、該指定の期間に該空間が属している設定時間毎の湿度域を連続して経時的に表示手段に表示するものとする。
【００１２】
この発明では、ある空間の指定された期間における湿度域が設定時間毎に連続して経時的に表示されるので、その期間の調湿効果の変化を容易にかつ明確に確認することができる。
【００１３】
請求項４の発明では、表示制御手段は、空間の低湿度域、快適湿度域及び高湿度域を互いに異なる色で表示手段に表示するものとする。
【００１４】
この発明では、空間が属している湿度域の表示色が互いに異なるので、調湿効果をより一層容易にかつ明確に確認することができる。
【００１５】
請求項５の発明では、上記請求項１〜４のいずれか１つの発明に係る調湿効果シミュレーション装置において、さらに、上記空間の相対湿度が設定期間において低湿度域、快適湿度域及び高湿度域に存在している期間を算出して、その各湿度域に存在する割合を求める湿度域割合算出手段を備えている。そして、表示制御手段は、上記調湿建材の施工パターンを変更したときの上記空間の各湿度域の割合をそれぞれ表示手段に表示することを特徴とする。
【００１６】
この発明では、湿度域割合算出手段において、上記空間の相対湿度の設定期間における低湿度域、快適湿度域及び高湿度域に存在している期間が算出されて、その各湿度域に存在する割合が求められ、表示制御手段により、調湿建材の施工パターンを変更したときの上記空間の各湿度域の割合がそれぞれ表示手段に表示される。このように、調湿建材の施工パターン毎に、空間についての設定期間における各湿度域に存在している割合が求められ、調湿建材の施工パターンを変更したときの各湿度域の出現割合が表示されることで、調湿建材の施工パターンの変更に伴う快適湿度域の出現頻度の差が示され、調湿建材の施工による調湿効果を容易にかつ明確に確認することができる。
【００１７】
請求項６の発明では、上記請求項５の発明において、その表示制御手段は、調湿建材の施工パターンを変更したときの空間の設定期間における各湿度域の割合をそれぞれグラフで対比して表示手段に表示するものとする。一方、請求項７の発明では、表示制御手段は、調湿建材のパターンを変更したときの空間が設定期間において快適湿度域となる割合の差を数値で表示手段に表示するものとする。これらの発明では、設定期間における快適湿度域の出現割合の差がグラフ又は数値で表示されることとなり、調湿建材の施工による調湿効果をさらに容易にかつ明確に確認することができる。
【００１８】
請求項８の発明は調湿設計支援装置に係るもので、請求項１〜７のいずれか１つの発明に係る調湿効果シミュレーション装置を備えたことを特徴とする。
【００１９】
この発明では、調湿効果シミュレーション装置により、調湿建材の施工による調湿効果を容易にかつ明確に確認できるので、調湿建材を用いる調湿設計を容易に行うことができる。
【発明の効果】
【００２０】
以上説明したように、請求項１の発明に係る調湿効果シミュレーション装置によると、空間についての地域毎の屋外環境データ、家族構成やライフスタイルに基づく屋内生活環境データ、建築物の基本性能データ、並びに調湿建材の施工データに基づいて、その空間の設定時間毎の相対湿度を１年間に亘り算出し、調湿建材の施工面積及び性能に基づく複数の施工パターンの各々毎に、空間の設定時間毎の相対湿度を低湿度域、快適湿度域又は高湿度域のいずれかに区分して、それら空間の設定時間毎の湿度域を表示するようにしたことにより、調湿建材の施工による調湿効果を容易にかつ明確に確認することができる。
【００２１】
請求項２の発明によると、空間に対し時刻が指定されたときに、その指定の時刻に空間が属している湿度域を表示するようにしたことにより、その時刻の調湿効果を容易にかつ明確に確認することができる。
【００２２】
請求項３の発明によると、空間に対し期間が指定されたときに、その指定の期間に空間が属している設定時間毎の湿度域を連続して経時的に表示するようにしたことにより、その期間の調湿効果の変化を容易にかつ明確に確認することができる。
【００２３】
請求項４の発明によると、空間の低湿度域、快適湿度域及び高湿度域を互いに異なる色で表示するようにしたことにより、調湿効果をより一層容易にかつ明確に確認することができる。
【００２４】
請求項５の発明によると、空間の相対湿度の設定期間における低湿度域、快適湿度域及び高湿度域に存在している期間を算出して、その各湿度域に存在する割合を求め、調湿建材の施工パターンを変更したときの上記空間の各湿度域の割合をそれぞれ表示するようにしたことにより、調湿建材の施工による調湿効果を容易にかつ明確に確認することができる。
【００２５】
請求項６の発明では、調湿建材の施工パターンを変更したときの空間の設定期間における各湿度域の割合をそれぞれグラフで対比して表示するようにした。また、請求項７の発明では、空間の設定期間における快適湿度域の出現割合の差を数値で表示するようにした。これらの発明によると、調湿建材の施工による調湿効果をさらに容易にかつ明確に確認することができる。
【００２６】
請求項８の発明の調湿設計支援装置によると、請求項１〜７のいずれか１つの発明に係る調湿効果シミュレーション装置を備えたことにより、調湿設計を容易に行うことができる。
【発明を実施するための最良の形態】
【００２７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２８】
［実施形態１］
図２は本発明の実施形態１に係る調湿効果シミュレーション装置Ａの全体構成を示し、この調湿効果シミュレーション装置Ａは、建築物内部の空間に調湿建材が施工されたときの調湿効果を確認・判断するために用いられる。
【００２９】
上記建築物としては種々のものを対象とできるが、ここでは、一例として図３〜図５に示すような戸建て住宅をモデル化する。この住宅の１階には、図３及び図４に示すように和室（例えば面積１３．２５ｍ２）、その和室に面する床の間（同１．６６ｍ２）及び押入（同１．６６ｍ２）、トイレ（同１．６６ｍ２）、そのトイレに通じるホール（同１．６６ｍ２）、浴室（同３．３１ｍ２）、その浴室に通じる洗面所（同３．３１ｍ２）、２階への階段（同３．３１ｍ２）、玄関ホール（同９．９４ｍ２）、ＬＤＫ（同２６．５０ｍ２）が区画されて形成されている。また、２階には、図５に示すように１階の和室上の寝室（同１９．８９ｍ２）、この寝室に通じかつ浴室及び洗面所上のウォークインクローゼット（同６．６２ｍ２）、階段（同３．３１ｍ２）、玄関ホール上のホール（同９．９４ｍ２）、ＬＤＫ上の２つの子供室（同各１１．５９ｍ２）、各子供室にそれぞれ面する２つの物入れ（同各１．６６ｍ２）が区画形成されている。これらの部屋等がいずれも本発明でいう空間であり、本実施形態ではそのうち、１階の洗面所及びＬＤＫと２階の寝室とを対象空間の例として取り扱うこととする。
【００３０】
上記調湿効果シミュレーション装置Ａは、例えばＣＤやＤＶＤ、フラッシュメモリ等の記録媒体との間でデータのやり取り可能なＣＰＵ内蔵の装置本体１と、この装置本体１に接続され、文字等のデータを入力するキーボード等からなる入力装置２と、装置本体１からの出力データを表示するディスプレイ等の表示装置３（表示手段）と、装置本体１からの出力を印字するプリンタ等からなる印字装置４と、装置本体１へ表示装置３での位置情報を送るマウス等からなる位置指示装置５とを備えている。そして、上記装置本体１には、そのデータ処理機能によって、後述の如く相対湿度算出手段１０、湿度区分手段１１、表示制御手段１２及び湿度域割合算出手段１３が具備されている。尚、本発明での調湿効果シミュレーション装置は、このような装置構成に限定されず、各種構成のものを採用できるのは勿論のことである。
【００３１】
具体的に、上記装置本体１において行われる処理動作について図１に示すフローチャートに基づいて説明する。最初のステップＳ１では、上記住宅（建築物）が位置する地域毎の屋外環境データを、また次のステップＳ２では、住宅内（建築物内）の少なくとも１つの空間における居住者の生活スケジュールに対応した屋内生活環境データを、さらにステップＳ３では、上記空間の換気経路を含む住宅（建築物）の基本性能データを、またステップＳ４では、上記空間に対する調湿建材の施工面積及び性能に関する施工データをそれぞれ入力させる。
【００３２】
これら４種類のデータは、いずれも設定時間（具体的には例えば１５分。その他３０分等でもよい）毎のデータを入力する。これらデータのうち、屋外環境データ及び屋内生活環境データが変化し、他のデータは施工条件を変えない限り一定と判断できるので、実質的には屋外環境データ及び屋内生活環境データがそれぞれ設定時間毎に入力されることになる。また、居住者の生活スケジュールは平日と休日とで異なるので、屋内生活環境データについては平日と休日とに分けて入力する。また、４種類のデータの入力順序（ステップＳ１〜Ｓ４の順序）は上記のように限定されず、適宜変えてもよい。
【００３３】
（屋外環境データ）
屋内環境データとしては、その住宅（建築物）が位置する地域の例えばアメダス気象データを用いる。このアメダス気象データには外気温、絶対湿度、全天日射量、夜間放射量、風向、風速について、例えば１９８０年〜２０００年の２０年間に亘り全国８６４地点の平均値が記憶されており、このデータベースから住宅（建築物）の位置する地域のデータを選択して入力する。
【００３４】
（屋内生活環境データ）
屋内生活環境データは、住宅（建築物）内の空間における居住者の生活スケジュールに対応したもので、例えば空気調和衛生工学会で定義されたもの等を用いる。この生活スケジュールは、年齢、性別、運動量、空間への滞在時間等に基づく人体の呼気量、煮炊き等の調理、入浴等に基づく放湿量、人体、煮炊き等の調理、入浴、照明等に基づく発熱量を設定したものである。
【００３５】
具体的には、家族構成、その各家族の属性（勤め人、家庭婦人、学生等）、空間の面積、用途、主に使用する家族、喫煙の有無、各空間での行為、照明及び機器の使用条件、空調装置の使用条件（冷暖房の設定温度及び能力）、加湿条件（使用している加湿器の加湿能力）等から各空間の在室パターンを作成する。家族構成として、互いに異なる特定のモデルケースを想定し、各モデルケースに応じてデータを決定してもよい。例えば、夫４５歳、主婦４２歳、長男１５歳、長女１２歳の家族構成としたり、夫６０歳、妻５９歳の家族構成としたり、さらには女性２５歳の独身世帯としたりする。
【００３６】
（基本性能データ）
住宅（建築物）の基本性能データとしては、（ａ）床、壁及び天井の厚み構成（厚み、比重、熱伝導率、比熱、湿気伝導率、平衡含水率等）、（ｂ）床面積及び壁面積、（ｃ）換気回数、（ｄ）換気経路（空間に空気がどこから入ってきてどこへ抜けるのかを表すもので、例えば屋外から廊下、部屋間、トイレを経て屋外に抜ける等）、（ｅ）部屋の容積を入力する。また、次世代省エネ基準等への対応を想定し、住宅についてのモデルケースを設定してもよい。
【００３７】
（調湿建材施工データ）
調湿建材施工データは、空間の壁や天井等として用いられる調湿建材の施工面積及び性能のデータであり、調湿建材を施工しないブランク状態（施工面積＝０）も含む複数の施工パターンに分けて入力する。この施工パターンは調湿建材の施工面積及び性能に基づき、それらを組み合わせて得られる。調湿建材の施工面積としては、例えば壁の１面や２面に施工するか、或いは壁の全面に施工するか等により設定する。また、調湿建材の性能としては、例えばＪＩＳ Ａ １４７０−１に設定された吸放湿量を主とし、その他にＪＩＳ Ａ １４７０−２に設定された調湿力やＪＩＳ Ａ １４７５に設定された平衡含水率を参考として用いる。ＪＩＳ Ａ １４７０−１による吸放湿量は３つの等級「１」〜「３」に分けられており、等級が大きい数値になるほど吸放湿量が大きくて性能が高くなる。
【００３８】
これらステップＳ１〜Ｓ４の次のステップＳ５では、上記入力された屋外環境データ、屋内生活環境データ、住宅（建築物）の基本性能データ、及び調湿建材施工データに基づいて、その空間毎の上記設定時間（１５分）毎の相対湿度を１年間について算出する。尚、この相対湿度の算出には（後述の相対湿度算出手段１０として）、例えば動的熱負荷計算ソフト「THERB for HAM」（国土交通省認定番号１４１号）を使用することができる。
【００３９】
その後、ステップＳ６において、上記算出された空間の設定時間毎の相対湿度を、上記調湿建材の施工面積及び性能に基づく複数の施工パターンの各々毎に、低湿度域、快適湿度域又は高湿度域のいずれかに区分する。これら低湿度域、快適湿度域又は高湿度域は相対湿度がいずれに属するかを評価する指針であり、例えば低湿度域は相対湿度が４０％以下（便宜上、図の表示では「０〜４０％」と記載している）にあり、快適湿度域は相対湿度が４０％を越えかつ７０％以下（図の表示では「４０〜７０％」と記載している）にあり、高湿度域は相対湿度が７０％を越えるもの（図の表示では「７０〜１００％」と記載している）とする。
【００４０】
ステップＳ７〜Ｓ１０では、上記算出された空間の設定時間毎の湿度域を低湿度域、快適湿度域及び高湿度域間で互いに異なる色（例えば低湿度域は黄色、快適湿度域は赤、高湿度域は青）により空間に対応して表示装置３に表示する。すなわち、ステップＳ７では、住宅（建築物）のある空間（部屋）が選択されたかどうかを判定し、判定がＹＥＳのときには、ステップＳ８に進み、上記ステップＳ７で選択された空間に対し、ある任意の時刻又はある任意の期間が指定（選択）されたかを判定する。このステップＳ８の判定が時刻の指定のときには、ステップＳ９に進み、その選択された空間の指定時刻での相対湿度が属する湿度域を所定の色付けして該相対湿度と共に表示装置３に表示し、しかる後にステップＳ１１に進む。
【００４１】
例えば図３の上側は、上記モデル化した住宅が地域「東京」にあり、その１階の洗面所を空間として選択した場合に、「１２月０２日」の時刻「２２：００」が指定されたときの表示例（相対湿度及びその湿度域）を示している。調湿建材のないブランクの施工パターンの場合、この洗面所の相対湿度は１００％であり、その相対湿度が属する湿度域として「高湿度域」が例えば青色（便宜上、図では左上がりの細かい斜線にて示す）で表示されている。一方、調湿建材がある施工パターンの場合には、相対湿度は８８％に下がるが、やはり「高湿度域」であり、青色で表示される。
【００４２】
また、図４の上側は、同じ地域「東京」にある住宅の１階のＬＤＫ（空間）について、「０１月０２日」の時刻「７：００」が指定されたときの同様の表示例を示している。調湿建材のないブランクの場合、このＬＤＫの相対湿度は６２％であり、その相対湿度が属する湿度域として「快適湿度域」が例えば赤色（便宜上、図では右上がりの粗い斜線にて示す）で表示されている。一方、調湿建材がある場合には、相対湿度は６０％に下がるが、やはり「快適湿度域」であり、赤色で表示される。
【００４３】
さらに、図５の上側は、同じ地域「東京」にある住宅の２階の寝室（空間）について、「０２月０４日」の時刻「０：００」が指定されたときの表示例を示している。調湿建材のないブランクの場合、このＬＤＫの相対湿度は４８％であり、その相対湿度が属する湿度域として「快適湿度域」が赤色（図では粗い斜線にて示す）で表示されている。一方、調湿建材がある場合には、相対湿度は４９％にやや上がって「快適湿度域」にあり、赤色で表示される。
【００４４】
これに対し、上記ステップＳ８において、選択された空間に対し、ある期間が指定（選択）されたときには、ステップＳ１０に進み、その選択された空間の指定期間での相対湿度が属する湿度域を所定の色付けして連続して経時的に表示装置３に表示した後、ステップＳ１１に進む。
【００４５】
例えば図３は、上記のように、地域「東京」にある住宅の１階の洗面所について、「１２月０２日」の時刻「２２：００」が指定されたときの相対湿度とその湿度域とを例示しているが、「入浴時」として期間「２０：００〜２３：００」が指定されたときには、その３時間に亘り同様の表示、つまり洗面所の相対湿度の数値及びその湿度域の色が設定時間（１５分間）毎の変化を切り換えながら連続して表示される（そのうちの中間の１つが図３に示す時刻「２２：００」のものとなる）。
【００４６】
また、図４は、地域「東京」にある住宅の１階のＬＤＫについて、「０１月０２日」の時刻「７：００」が指定されたときの相対湿度とその湿度域とを例示しているが、「生活時」として期間「７：００〜２４：００」が指定されたときには、その１７時間に亘り同様の表示、つまりＬＤＫの相対湿度の数値及びその湿度域の色が設定時間（１５分間）毎に切り換わりながら連続して表示される（そのうちの最初の１つが図４に示す時刻「７：００」のものとなる）。
【００４７】
さらに、図５は、地域「東京」にある住宅の２階の寝室について、「０２月０４日」の時刻「０：００」が指定されたときの相対湿度とその湿度域とを例示しているが、「就寝時」として期間「０：００〜７：００」が指定されたときには、その７時間に亘り同様の表示、つまり寝室の相対湿度の数値及びその湿度域の色が設定時間（１５分間）毎に切り換わりながら連続して表示される（そのうちの最初の１つが図５に示す時刻「０：００」のものとなる）。
【００４８】
上記ステップＳ９又はステップＳ１０に続くステップＳ１１では、湿度域出現頻度の対比が指令されたかどうかを判定する。この判定が指令なしのＮＯのときには終了するが、指令ありのＹＥＳのときには、ステップＳ１２に進み、設定期間において、設定時間毎の相対湿度が低湿度域、快適湿度域及び高湿度域に属している期間を合計して算出し、その各湿度域に存在する割合を求める。この設定期間は、例えば年間（１月〜１２月）、冬期（１２月〜２月）、夏期（６月〜８月）、中間期（３月〜５月及び９月〜１１月）等であり、或いは上記ステップＳ８で指定された期間等、任意に選択することができる。
【００４９】
そして、ステップＳ１３において、調湿建材の施工パターンを変更したときに上記空間の湿度域の割合をそれぞれ表示装置３に棒グラフで対比して表示し、しかる後に終了する。
【００５０】
例えば図３〜図５の各々の下側に、調湿建材の施工パターンを「調湿建材なし」（ブランク）と「調湿建材あり」との２つのパターンに変更したときの各空間の湿度域の出現頻度を棒グラフで対比して表示しており、図３の例では、設定期間が２０：００〜２３：００であって、「調湿建材なし」の施工パターンのときには、快適湿度域の出現頻度が略３３％であり、残りが高湿度域であるのに対し、「調湿建材あり」の施工パターンのとき（所定の等級の調湿建材を所定面積だけ施工したとき）には快適湿度域の出現頻度が略７６％で、残りが高湿度域となっており、調湿建材の施工によって快適湿度域の出現頻度差は略４３％となっている。また、図４の例では、設定期間が７：００〜２４：００であって、「調湿建材なし」のときには、快適湿度域の出現頻度が略６２％であり、低湿度域が略１２％で高湿度域が略２６％であるのに対し、「調湿建材あり」のときには快適湿度域の出現頻度が１００％であり、調湿建材の施工によって快適湿度域の出現頻度差は略３８％となっている。さらに、図５の例では、設定期間が０：００〜７：００であって、「調湿建材なし」のときには、快適湿度域の出現頻度が略７９％であり、低湿度域が略８％で高湿度域が略１３％であるのに対し、「調湿建材あり」のときには快適湿度域の出現頻度が略９１％であり、低湿度域が略１％で高湿度域が略８％であり、調湿建材の施工によって快適湿度域の出現頻度差は略１２％となっている。
【００５１】
さらに、図６は、「東京」にある住宅の「寝室」において、設定期間が１２月〜２月である冬期に加湿能力５００ｇ／ｈの加湿器を使用する条件下でのブランク（調湿建材なし）の施工パターンのときと、等級２の調湿建材を施工した施工パターンのときの各湿度域の出現頻度を例示したものであり、ブランクのときには、快適湿度域の出現頻度が６１．９％であり、低湿度域が７．１％で高湿度域が３１．０％であるのに対し、調湿建材を施工したときには快適湿度域の出現頻度が７９．６％であり、低湿度域が１５．８％で高湿度域が４．６％であり、調湿建材の施工によって快適湿度域の出現頻度差は１７．７％となっている。この例では、上記ステップＳ２において、屋内生活環境データを入力するときに、加湿器の使用空間と加湿器の性能とを入力することができる。
【００５２】
以下、同様に、図７は「仙台」にある住宅の洗面所、ＬＤＫ及び寝室において、設定期間を年間（１月〜１２月）、冬期（１２月〜２月）、夏期（６月〜８月）及び中間期（３月〜５月及び９月〜１１月）として、その間のブランクのときと、等級２の調湿建材を壁１面に施工したときとの快適湿度域出現頻度差を例示したものである。また、図８は「東京」にある住宅の洗面所、ＬＤＫ及び寝室において、同様に年間、冬期、夏期及び中間期の間に、ブランクのときと、等級２の調湿建材を壁１面及び壁全面に施工したときとの湿度域の出現頻度を例示したものであり、調湿建材の施工面積の違いが表されている。さらに、図９は「東京」にある住宅の洗面所、ＬＤＫ及び寝室において、同様に年間、冬期、夏期及び中間期の間に、ブランクのときと、同じ面積に等級１〜３の調湿建材を施工したときとの湿度域の出現頻度を例示したものであり、調湿建材の性能の違いが表されている。尚、図７〜図９では、棒グラフにおいて低湿度域を白抜きで、また快適湿度域を薄い塗潰しで、さらに高湿度域を濃い塗潰しでそれぞれ示している。
【００５３】
そして、この実施形態においては、上記ステップＳ１〜Ｓ５により、屋外環境データと、屋内生活環境データと、建築物の基本性能データと、空間に対する調湿建材の施工データ（施工面積及び性能）とに基づいて、空間の設定時間毎の相対湿度を１年間について算出する相対湿度算出手段１０が構成されている。
【００５４】
また、ステップＳ６により、調湿建材の施工パターンを、その施工面積及び性能に基づいて調湿建材を施工しないブランク状態も含む複数のパターンに分けて、その各施工パターン毎に、上記空間の設定時間毎の相対湿度を低湿度域、快適湿度域又は高湿度域のいずれかに区分する湿度区分手段１１が構成されている。
【００５５】
さらに、ステップＳ７〜Ｓ１０，Ｓ１３により、上記空間の設定時間毎の湿度域を表示装置３に低湿度域、快適湿度域及び高湿度域が互いに異なる色となるように表示する表示制御手段１２が構成されている。
【００５６】
そして、この表示制御手段１２は、ステップＳ７，Ｓ８，Ｓ９により、空間に対し時刻が指定されたときに、該指定の時刻に該空間が属している湿度域を表示装置３に表示するようになっている。また、ステップＳ７，Ｓ８，Ｓ１０により、空間に対し期間が指定されたときに、該指定の期間に該空間が属している設定時間毎の湿度域を連続して経時的に表示装置３に表示するようになっている。
【００５７】
また、ステップＳ１２により、上記空間についての設定期間における低湿度域、快適湿度域及び高湿度域に存在している期間を算出して、その各湿度域に存在する割合を求める湿度域割合算出手段１３が構成されている。そして、上記表示制御手段１２は、ステップＳ１３により、上記調湿建材の施工パターンを変更したときの上記空間の各湿度域の割合をそれぞれ棒グラフの対比によって表示装置３に表示するようになっている。
【００５８】
したがって、この実施形態においては、住宅（建築物）が位置する地域毎の屋外環境データと、住宅内（建築物内）の各空間における居住者の生活スケジュールに対応した屋内生活環境データと、各空間の換気経路を含む住宅（建築物）の基本性能データと、各空間に対する調湿建材の施工面積及び性能に関する調湿建材の施工データとが入力されると、これらデータに基づいて、その空間の設定時間（１５分）毎の相対湿度が１年間について算出され、この算出された空間の設定時間毎の相対湿度が、調湿建材の施工面積及び性能に基づく複数の施工パターンの各々毎に低湿度域、快適湿度域又は高湿度域のいずれかに区分される。そして、住宅の空間に対し、ある時刻が指定（選択）されると、その指定時刻での空間の相対湿度の属する湿度域が色付けされて該相対湿度と共に表示装置３に表示される。一方、空間に対し、ある期間が指定（選択）されたときには、その空間の指定期間での相対湿度が属する設定時間（１５分間）毎の湿度域が色付けされて連続して経時的に表示装置３に表示される。また、湿度域出現頻度の対比の指令があると、設定期間において、設定時間毎の相対湿度が低湿度域、快適湿度域及び高湿度域に属している期間が合計して算出され、その各湿度域に存在する割合が求められ、調湿建材の施工パターンを変更したときに上記空間の各湿度域となる割合がそれぞれ表示装置３に棒グラフの対比によって表示される。
【００５９】
こうして、調湿建材の施工パターン毎に、空間の１年間に亘る設定時間毎の相対湿度が低湿度域、快適湿度域又は高湿度域に区分され、それらが表示されるので、調湿建材の施工による調湿効果を容易にかつ明確に確認することができる。
【００６０】
また、ある空間の指定された時刻における湿度域が色付けされて表示されるので、その時刻の調湿効果を容易にかつ明確に確認することができる。
【００６１】
さらに、ある空間の指定された期間における湿度域が連続して経時的に色付けされて表示されるので、その期間の調湿効果の変化を容易にかつ明確に確認することができる。
【００６２】
また、調湿建材の施工パターン毎に、空間についての設定期間における低湿度域、快適湿度域及び高湿度域に存在している割合が求められ、調湿建材の施工パターンを変更したときの湿度域の出現割合が棒グラフで対比して表示されるので、調湿建材の施工パターンの変更に伴う快適湿度域の出現頻度の差が示されることになり、調湿建材の施工による調湿効果をより一層容易にかつ明確に確認することができる。
【００６３】
具体的には、調湿建材の有無や性能の変更によって快適湿度域の割合が変化し、その変化率がどの程度であるかが判るようになる。また、調湿建材の施工や性能の変更によって、ある一定期間内で快適湿度域にいる時間が長くなるということも容易に判ることになる。
【００６４】
例えば、図８に示す例において、ＬＤＫに等級２という調湿建材を壁１面に使うと、年間では快適湿度域にいる割合は７８．９％であるのに対し、調湿建材のないブランクの場合は６７．０％しかなく、１１．９％の差が生じるが、これを１２月〜２月の冬期に限定すると、快適湿度域にいる割合は８２．４％になるのに対し、ない場合は６５．０％しかなく、１７．４％の差が生じることが判るようになる。また、逆に、年間で１６．７％の差が生じるようにするには、等級２の調湿建材の使用量（面積）を壁２面にすればよいこととなり、そのような提案を行うことができる。
【００６５】
また、例えば同じ図８の例で示すように、寝室においては、調湿建材を施工し、その等級を高くするほど、冬期の快適湿度域の割合が小さくなっている。元々は人間が出す湿気が少ない寝室等では、冬期では夏期と異なり外部からの侵入湿気が少ないので、高湿時に湿気を吸い込み、その吸収した湿気を低湿時に放湿する調湿建材を施工すると、人間が出す湿気を調湿建材が全部吸い込むようになって乾燥が進む。つまり、単に調湿建材の施工面積を大きくしたり等級を上げたりするだけでは、寝室等では冬期に吸湿が過ぎて逆効果となり、調湿建材があることで環境が悪くなることが理解できる。そのため、この悪くなる環境を加湿器の使用によって良くすれはよいことが容易に把握できる。
【００６６】
［実施形態２］
図１０は本発明の実施形態２を示し（尚、実施形態１と同じ部分については同じ符号を付してその詳細な説明を省略する）、上記実施形態１では、快適湿度域の出現頻度を棒グラフにより表示するようにしているのに対し、その出現頻度の差を数値で表示するようにしたものである。
【００６７】
すなわち、この実施形態では、実施形態１に係る図１に示すフローチャートとステップＳ１２までは同じであるが、その後のステップＳ１３がステップＳ１４に置き換わっている。そして、このステップＳ１４では、調湿建材のパターンを変更する前に上記空間が快適湿度域となる割合ＣＤＨ１を、調湿建材のパターンを変更した後に同空間が快適湿度域となる割合ＣＤＨ２から減じた差ＣＤＨ２−ＣＤＨ１を数値で表示装置３に表示した後に終了する。
【００６８】
例えば図６に示す条件では、調湿建材の施工パターンを変更する前のブランクの状態で寝室が快適湿度域となる割合ＣＤＨ１はＣＤＨ１＝６１．９％であり、調湿建材の施工パターンを変更した後に同寝室が快適湿度域となる割合ＣＤＨ２はＣＤＨ２＝７９．６％であるので、差ＣＤＨ２−ＣＤＨ１は１７．７％となる。また、図８や図９に示す条件では、３つ以上の調湿建材のパターンのうちの２つを選択してＣＤＨ２，ＣＤＨ１に設定すればよい。
【００６９】
この実施形態では、ステップＳ１４により、表示制御手段１２は、調湿建材のパターンを変更したときの空間が快適湿度域となる割合の差を数値で表示装置３に表示するようになっている。その他の構成は実施形態１と同様である。
【００７０】
したがって、この実施形態の場合、空間が快適湿度域となる割合の差が数値で表示されるので、実施形態１と同様に、調湿建材の施工による調湿効果をさらに容易にかつ明確に確認することができる。
【００７１】
［その他の実施形態］
尚、上記各実施形態では、調湿効果シミュレーション装置Ａについて説明しているが、この各実施形態に係る調湿効果シミュレーション装置Ａを備えた調湿設計支援装置を設けてもよい。そのことで、調湿建材の施工による調湿効果を容易にかつ明確に確認できるので、調湿建材を使用するときの調湿設計を容易に行うことができる。
【産業上の利用可能性】
【００７２】
本発明は、建築物の空間に施工される調湿建材による調湿効果をシミュレーションによって容易にかつ明確に確認できるので、極めて有用で産業上の利用可能性が高い。
【図面の簡単な説明】
【００７３】
【図１】図１は、本発明の実施形態１において、調湿効果シミュレーション装置の装置本体での処理動作を示すフローチャート図である。
【図２】図２は、調湿効果シミュレーション装置を示す図である。
【図３】図３は、住宅の１階の洗面所が入浴に使用されるときの相対湿度、その所属する湿度域、並びに相対湿度が低湿度域、快適湿度域及び高湿度域に存在している期間の割合を表示装置で表示した例を示す図である。
【図４】図４は、住宅の１階のＬＤＫが生活に使用されるときの相対湿度、その所属する湿度域、並びに相対湿度が低湿度域、快適湿度域及び高湿度域に存在している期間の割合を表示装置で表示した例を示す図である。
【図５】図５は、住宅の２階の寝室が就寝に使用されるときの相対湿度、その所属する湿度域、並びに相対湿度が低湿度域、快適湿度域及び高湿度域に存在している期間の割合を表示装置で表示した例を示す図である。
【図６】図６は、住宅の寝室において冬期に加湿器を使用する条件下でブランクのときと、調湿建材を施工したときとの湿度域の出現頻度を表示装置で表示した例を示す図である。
【図７】図７は、仙台にある住宅の洗面所、ＬＤＫ及び寝室において、年間、冬期、夏期及び中間期に、ブランクのときと、等級２の調湿建材を壁１面に施工したときとの湿度域の出現頻度を表示装置で表示した例を示す図である。
【図８】図８は、東京にある住宅の洗面所、ＬＤＫ及び寝室において、年間、冬期、夏期及び中間期に、ブランクのときと、等級２の調湿建材を壁１面及び壁全面に施工したときとの湿度域の出現頻度を表示装置で表示した例を示す図である。
【図９】図９は、東京にある住宅の洗面所、ＬＤＫ及び寝室において、年間、冬期、夏期及び中間期に、ブランクのときと、同じ面積に等級１〜３の調湿建材を施工したときとの湿度域の出現頻度を表示装置で表示した例を示す図である。
【図１０】図１０は、本発明の実施形態２において、調湿効果シミュレーション装置の装置本体での処理動作を示す図１相当図である。
【符号の説明】
【００７４】
Ａ  調湿効果シミュレーション装置
１  装置本体
３  表示装置（表示手段）
１０  相対湿度算出手段
１１  湿度区分手段
１２  表示制御手段
１３  湿度域割合算出手段
【図１】
2009086828.tif 000003
【図２】
2009086828.tif 000004
【図３】
2009086828.tif 000005
【図４】
2009086828.tif 000006
【図５】
2009086828.tif 000007
【図６】
2009086828.tif 000008
【図１０】
2009086828.tif 000009
【図７】
2009086828.tif 000010
【図８】
2009086828.tif 000011
【図９】
2009086828.tif 000012